(57)【要約】【課題】  本発明が解決しようとする課題は、ロープのねじり防止機能と同時にロープの張力片寄り防止機能を併せもつシンプル構成の２点吊り装置を提供する。また、この２点吊り装置に用いる２点吊り装置用横木を提供する。【解決手段】  垂下する２本のロープ１とロープ１間に掛け渡す横木２とから構成されて、横木２は垂下する２本のロープ１の幅寸法より長く、両端側にはロープ１が丁度入るロープ通し穴３を同じ方向に一つずつ設けたものとし、この横木２の両端側に設けたロープ通し穴３に２本のロープ１をそれぞれ互い違いに通し入れて２本のロープ１に横木２を水平に配置している。【選択図】  図１
2011201625.tif 000002
【特許請求の範囲】
【請求項１】
垂下する２本のロープ（１）の間に掛け渡す横木（２）とから構成されて、横木（２）は垂下する２本のロープ（１）の幅寸法より長く、両端側にはロープ（１）が丁度入るロープ通し穴（３）を一つずつ設けたものとし、この横木（２）の両端側に設けたロープ通し穴（３）に２本のロープ（１）をそれぞれ通し入れて２本のロープ（１）に横木（２）を水平に配置した２点吊り装置。
【請求項２】
垂下する２本のロープ（１）の幅寸法より長く、両端側にはロープ（１）が丁度入るロープ通し穴（３）を一つずつ設けた２点吊り装置用横木。  
【請求項３】
垂下する２本のロープ（１）の間に掛け渡す横木（２）とから構成されて、横木（２）は垂下する２本のロープ（１）の幅寸法より長く、両端側にはロープ（１）が丁度入るロープ通し穴（３）を同じ方向に一つずつ設けたものとし、この横木（２）の両端側に設けたロープ通し穴（３）に２本のロープ（１）をそれぞれ互い違いに通し入れて２本のロープ（１）に横木（２）を水平に配置した２点吊り装置。
【請求項４】
垂下する２本のロープ（１）の幅寸法より長く、両端側にはロープ（１）が丁度入るロープ通し穴（３）を同じ方向に一つずつ設けた２点吊り装置用横木。  
【請求項５】
垂下する２本のロープ（１）の間に掛け渡す横木（２）とから構成されて、横木（２）は垂下する２本のロープ（１）の幅寸法より長く、両端側の側面上部にはロープ（１）が丁度入るロープ通し穴（３）を一つずつ設け、更にロープ通し穴（３）に近接する上方側及び下方側の一方又は両方に、ロープ（１）が通るスリット（４）を本体の軸方向に設けたものとし、この横木（２）に設けたロープ通し穴（３）に２本のロープ（１）をそれぞれ互い違いに又は同方向に通し入れて２本のロープ（１）に横木（２）を水平に配置した２点吊り装置。
【請求項６】
垂下する２本のロープ（１）の幅寸法より長く、両端側の側面上部にはロープ（１）が丁度入るロープ通し穴（３）を一つずつ設け、更にロープ通し穴（３）に近接する上方側及び下方側の一方又は両方に、ロープ（１）が通るスリット（４）を本体の軸方向に設けた２点吊り装置用横木。  
【発明の詳細な説明】
【技術分野】
【０００１】
本発明は、垂下する長いロープ同志のねじれを防止し、同時にロープに掛かる荷重の偏向をも防止する２点吊り装置に関するものである。また，この２点吊り装置に用いる２点吊り装置用横木に関するものである。
【背景技術】
【０００２】
垂下した2本の長いロープによる2点吊りの吊り具で物体を吊るす場合、ロープ間隔が狭くなるとちょっとした外力の作用で吊るした物体は水平に回り横を向いてしまう。そして、2本のロープは容易にねじれてしまうという現象が生じる。そのため、2本のロープの間にロープのねじれを防止するための何本もの横木をはしご状に取り付ける手法が、垂下した長い2本のロープによる2点吊りの吊り装置には講じられている。この取り付けタイプとして、横木の両端側を2本のロープ側に固定する横木固定タイプのものがある（例えば図６参照）。
【０００３】
このものは次のようなものである。すなわち、垂下した２本のロープ１、１側に、横木２を等間隔で平行に設け、穴に通したロープの摩擦を利用した簡単な手法により固定している。この横木は、ロープ１、１間隔よりも長めの細長い板の両端側を垂直に同方向に折り曲げ、ロープ１が丁度はまるロープ通し穴３をそれぞれ２つずつ縦方向に近接して設けている。そして、この横木２の横幅はロープ間隔とほぼ等しいものとしている。また、別の横木取り付け手法として横木の両端側をそれぞれピン結合により2本のロープ側に取り付けた横木が上下方向に揺動できる横木揺動タイプのものが存在する。
【発明の概要】
【発明が解決しようとする課題】
【０００４】
前記従来のものには次のような欠点がある。すなわち、横木をロープ側に固定した横木固定タイプのものでは、外力等により吊るした物体の一方が持ち上がったときに、2本のロープの一方がたるんでしまい他方のロープのみに張力が作用するという張力の片寄り現象が生じる。一方、横木が揺動できる横木揺動タイプのものにおいては、平行にそれぞれの横木が両端側をピン結合により垂下する2本のロープ側に取り付けられている。このものは、ロープの垂下状態における横木とロープとのピン結合による結合点の2点又は2点以上の点が、常に平行な直線を描いて運動可能ないわば平行運動機構のような機能を有している。
【０００５】
そのため、横木揺動タイプのものは、吊るした物体の一方が持ち上がるような事態が発生しても横木固定タイプのようなロープの張力の片寄り現象が発生せず常に2本のロープに掛かる張力は均等となり、信頼度の高い吊り装置である。しかしこの横木揺動タイプの吊り装置は、横木をロープ側にピン結合させるため、横木以外に連結ピンやロープ側に取り付けるアタッチメント等の部品点数も増え、組み立てにも手間を要する。また、コスト高となる。本発明が解決しようとする課題は、ロープのねじり防止機能と同時にロープの張力片寄り防止機能を併せもつシンプル構成の２点吊り装置を提供することにある。また、この２点吊り装置に用いる２点吊り装置用横木を提供することにある。
【課題を解決するための手段】
【０００６】
請求項１に係る２点吊り装置は、垂下する２本のロープ１の間に掛け渡す横木２とから構成されて、横木２は垂下する２本のロープ１の幅寸法より長く、両端側にはロープ１が丁度入るロープ通し穴３を一つずつ設けたものとし、この横木２の両端側に設けたロープ通し穴３に２本のロープ１をそれぞれ通し入れて２本のロープ１に横木２を水平に配置したものである。
【０００７】
請求項２に係る２点吊り装置用横木は、垂下する２本のロープ１の幅寸法より長く、両端側にはロープ１が丁度入るロープ通し穴３を一つずつ設けたものである。
【０００８】
請求項３に係る２点吊り装置は、垂下する２本のロープ１の間に掛け渡す横木２とから構成されて、横木２は垂下する２本のロープ１の幅寸法より長く、両端側にはロープ１が丁度入るロープ通し穴３を同じ方向に一つずつ設けたものとし、この横木２の両端側に設けたロープ通し穴３に２本のロープ１をそれぞれ互い違いに通し入れて２本のロープ１に横木２を水平に配置したものである。
【０００９】
請求項４に係る２点吊り装置用横木は、垂下する２本のロープ１の幅寸法より長く、両端側にはロープ１が丁度入るロープ通し穴３を同じ方向に一つずつ設けたものである。
【００１０】
請求項５に係る２点吊り装置は、垂下する２本のロープ１の間に掛け渡す横木（２）とから構成されて、横木（２）は垂下する２本のロープ（１）の幅寸法より長く、両端側の側面上部にはロープ（１）が丁度入るロープ通し穴（３）を一つずつ設け、更にロープ通し穴（３）に近接する上方側及び下方側の一方又は両方に、ロープ（１）が通るスリット（４）を本体の軸方向に設けたものとし、この横木（２）に設けたロープ通し穴（３）に２本のロープ（１）をそれぞれ互い違いに又は同方向に通し入れて２本のロープ（１）に横木（２）を水平に配置したものである
【００１１】
請求項６に係る２点吊り装置用横木は、垂下する２本のロープ（１）の幅寸法より長く、両端側の側面上部にはロープ（１）が丁度入るロープ通し穴（３）を一つずつ設け、更にロープ通し穴（３）に近接する上方側及び下方側の一方又は両方に、ロープ（１）が通るスリット（４）を本体の軸方向に設けたものである。      
【００１２】
請求項１及び請求項３に係る２点吊り装置の作動は次のとおりである。同じ方向に開けた２つのロープ通し穴に互い違いとなるようにロープを通したり、平行でない二つのロープ通し穴３に２本のロープ１を通したりしている。そのため、荷重等がロープ１に作用すると横木２をねじろうとする力が働きロープとロープ通し穴３の角とで摩擦が生じ、横木２はロープ１に保持される。荷重が大きいほど更に強くロープ１に保持される。そして、幾段にも平行にロープ１上に設けられた横木は２本のロープのねじれを防止する。
【００１３】
また、２本のロープ１の下端に２点で吊り下げられた物体の片側に、下方側より外力が作用すると物体は斜めに傾く。すると、幾段にも平行にロープに渡し掛けられた横木２はロープ１の上下動を妨げない方向に揺動するためロープ１にたるみを生じさせない。よって、ロープ張力の片寄り現象は発生しない。
【００１４】
請求項５に係る２点吊り装置においては、ロープ通し穴３とロープ１との摩擦を確実なものとし、無負荷状態においても横木２が所定の位置をキープできるようにしている。大きな摩擦力の得るために二つのロープ通し穴3に通したのでは横木２がロープの上下動に連動して揺動しづらくなるため、二つ目の穴には水平に横木の軸方向に伸びるスリット４を設けロープ１の動きに連動して横木２が揺動できるようにしている。
【００１５】
以上のものにおいて、ロープとして通常の繊維ロープやワイヤーロープ以外にコードや合成樹脂性のてぐす等が使用できる。２本のロープは一本のロープを折り返して２本のロープとしてもよいし、ロープを２本使用したものとしてもよい。また、２本のロープの太さを異なるものとすることもできる。次に、横木の形状は、発明の実施の形態や実施例で表された形状以外に、例えばリング状、円盤状、及び球体等の形状としてもよい。２本のロープに渡し掛けることのできるものであれば材質及び形状は問わない。
【００１６】
そして、横木２はそれぞれ平行に配置するのが望ましい。また、横木２の両端側に設けロープ１との摩擦を生むロープ通し穴は３、穴の深さではなく穴の高さが重要であり、大きな摩擦力が生じる穴の高さの低いものが望ましい。そして、ロープ通し穴３は横木２の両端側をうがったものとしてもよし、ロープ通し穴を設３けた板等を後付けとしてもよい。次に、スリット４は横木をうがったものでなく、枠状等の囲いを横木に取り付けたものとしてもよいし、閉じたスリット４だけでなく、閉じていないスリット４や開閉可能なスリット４とすることもできる。
【発明の効果】
【００１７】
本発明に係る２点吊り装置は、簡単な構成でロープのねじり防止機能と同時にロープ張力の片寄り防止機能を有する信頼度の高い吊り装置である。また、ロープと横木のみのシンプルな構成のためコストも低減できる。本発明に係る２点吊り装置用横木はシンプルな構成で複雑なピン結合等を必要とせず、垂下する２本のロープに取り付け単一でロープのねじり防止機能及びロープの張力の片寄り防止機能を発揮する。
【図面の簡単な説明】
【００１８】
【図１】発明を実施するための形態を示す正面図である。
【図２】実施例1を示す正面図である。
【図３】実施例２を示す斜視図である。
【図４】実施例３を示す斜視図である。
【図５】実施例４を示す斜視図である
【図６】従来の２点吊り装置の構造及び作用を示す正面図である。
【発明を実施するための形態】
【００１９】
本発明を実施するための形態を図1に基づいて説明する。図１は正面図である
二つ折りにした長いロープ１，１の下端にはそれぞれ蛇口５を設けている。ロープ１の上端側は固定パイプ６に回し掛けてスライド自在となっている。細長く薄い板状の両端側にロープ１を通すロープ通し穴３を設けただけの横木２は、横木２の縦幅より少し広めの間隔で垂下した二本のロープ１、１上に等間隔で４本配置さている。横木２の両端側に設けた二つのロープ通し穴３、３には二本のロープ１、１がそれぞれ同じ方向ではなくて、前方と後方から互い違いに通されている。そして、二本のロープ１、１は連続する横木２を挟んだ格好で両面に一本ずつ位置している。下方には、中央辺りにロープ１、１端の蛇口５，５で絞り込まれた長い棒状体７が水平に吊られている。
【００２０】
このものは、同一面に開けた２つのロープ通し穴３，３に互い違いとなるようにロープを通している。そのため、荷重等がロープに作用すると横木２をねじろうとする力が働きロープ１とロープ通し穴３の角とで摩擦が生じ、横木２はロープに保持される。荷重が大きいほど更に強くロープに保持される。そして、幾段にも平行にロープ上に設けられた横木２は二本のロープ１，１のねじれを防止する。また、この棒状態７に下方からの外力F、例えば持ち上げられたりするようなことがあると、棒状態７は傾き、外力が作用する側のロープ１がたるもうとするが、柔軟なロープ１に取り付けられた横木２がロープ１の上下動に連動して揺動するため他方のロープ１にたるみはできず張力の片寄り現象は生じない。
【実施例１】
【００２１】
実施例１を図２に基づいて説明する。図１は正面図である
横木２は、上述の横木２と同じく細長く薄い板状としている。この横木２両端側にロープ１を通すロープ通し穴３を二つ設けている。そして、横木２の縦幅より少し広めの間隔で垂下した二本のロープ１、１上に横木２は等間隔で平行に４本配置されている。横木２の両端側に設けた二つのロープ通し穴３には二本のロープ１、１がそれぞれ同じ方向ではなくて、前方と後方から互い違いに通されている。そして、二本のロープ１、１は連続する二つの横木２を挟んだか格好ではなくて、横木２、２を縫う格好となっている。
【００２２】
このものも同じ方向に開けた２つのロープ通し穴３，３に互い違いとなるようにロープ１を通しているためロープ１に荷重が作用すると横木２をねじろうとする力が働きロープ１とロープ通し穴３の角とで摩擦が生じ、横木２はロープ１に保持される。荷重が大きいほど更に強くロープ１に保持され滑らない。そして、幾段にも平行にロープ１上に設けられた横木２は２本のロープ１、１のねじれを防止する。また、このものも、ロープ１の動きに連動して横木２が揺動するため、２点吊りをした場合において二本のロープ１，１の一方に荷重が掛るような片寄り現象が生じない。そして、二本のロープ１、１は連続する横木２を挟んだか格好ではなくて、横木２、２を縫う格好で位置している。このため、この２点吊り装置を垂下すると全体がねじれた格好となる。このもののねじれ具合は、ロープ通し穴３の深さ寸法ではなくて穴の高さと相関している。
【実施例２】
【００２３】
実施例２を図３に基づいて説明する。図３は斜視図である。
このもののロープ通し穴３、３は平行ではなく角度を持ったものとしている。横木２は、細長い円柱の両端側に、同方向ではなくて本体の軸方向に直角に９０度の角度をつけてロープ１が通るロープ通し穴３、３を設けている。そして、この横木２のロープ通し穴３，３にロープ１，１を通し入れている。このため、ロープに荷重が作用すると横木２をねじろうとする力が働きロープ１とロープ通し穴３の角とで摩擦が生じ、横木２はロープ１に保持される。荷重が大きいほど更に強くロープ１に保持され滑らない。
【００２４】
そして、幾段にも平行にロープ上に設けられた横木２は２本のロープ１、１のねじれを防止する。また、このものも、ロープ１の動きに連動して横木２が揺動するため、２点吊りをした場合において二本のロープ１，１の一方に荷重が掛るような片寄り現象が生じない。上述のものよりもロープ通し穴３の高さが大きいため、実施例１のようなロープ１の通し方を行うと、２点吊り装置を垂下した場合、より大きなねじれを生じる。また、ロープ１の上下動に連動して揺動する横木２の動きが大きなものとなり、ロープ１のたるみを吸収するためロープ上端側をスライドさせる必要がない。
【実施例３】
【００２５】
実施例３を図４に基づいて説明する。図４は斜視図である。
このものの横木２は、ロープ通し穴３以外にロープ１を通しいれるスリット４を更に設け、上述のものよりも横木２のロープ１への保持力を高めている。横に細長く断面がＴ字型の上面の両端側には、中央より少し外れた両サイドに横木２の長手方向に伸びる一対のスリットが設けられている。また、裏側の下方に伸びる鉛直面の両端近くの上部には、ロープ１を通すためのロープ通し穴３がそれぞれ設けられている。そして、２つのロープ通し穴３、３に互い違いとなるようにロープ１、１を通し、更に本体の上面に設けたスリット４に通して二本のロープ１、１が本体の鉛直面を挟むよう格好となっている。
【００２６】
このものも２つのロープ通し穴３，３に互い違いとなるようにロープ１を通しているためロープに荷重が作用すると横木２をねじろうとする力が働きロープ１とロープ通し穴３の角とで摩擦が生じ、横木２はロープ１に保持される。そして、幾段にも平行にロープ上に設けられた横木２は２本のロープ１、１のねじれを防止する。また、このものも、ロープ１の動きに連動して横木２が揺動するため、２点吊りをした場合において二本のロープ１，１の一方に荷重が掛るような片寄り現象が生じない。また、前後方向の揺動がスリット３によりブロックされ左右の揺動だけとなるため横木２のロープ１に対する保持力はすぐれ無負荷の状態においても横木２がロープ１上の位置をキープできる。また、二つのロープ通し穴３、３に二本のロープ１、１を前方と後方から互い違いに通して二本のロープ１、１が連続する二つの横木２を挟んだ形状とする場合、一種類の横木２で可能となるように、スリット４を本体の上面に鉛直板を挟む格好で一対ずつ４箇所設けている。
【実施例４】
【００２７】
実施例４を図５に基づいて説明する。図５は斜視図である。
このものの横木２も実施例３同様にロープ通し穴３以外にロープ１を通しいれるスリット４を更に設け、ロープ１への保持力を高めている。そして、二本のロープ１，１は、互い違いではなくロープ通穴３，３に同じ方向から通しいれられている。横に細長く断面L型状の鉛直面の両端側の上部には、二本のロープ１を通すためのロープ通し穴３が設けられている。上面には、スリット４がロープ通し穴３に近接してそれぞれ設けられている。
【００２８】
そして、二本のロープ１，１は、本体の外側よりロープ通し穴３に通され、更に上部のスリット４に通されている。このものも、前後方向の揺動がスリット４によりブロックされ左右の揺動だけとなるため横木２のロープ１に対する保持力はすぐれ無負荷の状態においても横木２がロープ１上の位置をキープできる。幾段にも平行にロープ上に設けられた横木２は２本のロープ１、１のねじれを防止する。また、このものも、ロープ１の動きに連動して横木２が揺動するため、２点吊りをした場合において二本のロープ１，１の一方に荷重が掛るような片寄り現象が生じない。
【符号の説明】
【００２９】
１ロープ
２横木
３ロープ通し穴
４スリット
【図１】
2011201625.tif 000003
【図２】
2011201625.tif 000004
【図３】
2011201625.tif 000005
【図４】
2011201625.tif 000006
【図５】
2011201625.tif 000007
【図６】
2011201625.tif 000008